(57)【要約】【課題】広告費を必要とせずに、投稿者別汎用電子掲示板システムの掲示板サイトの閲覧数を向上させ、加えて、目的限定電子掲示板システムの掲示板サイトへの投稿数を増加させることのできるシステムを提供する。【解決手段】電子掲示板サーバ２００は、端末装置１００からの投稿データを受信する受信部２１１と、ユーザ毎の電子掲示板データと、重複掲載可能な他のサーバ３００が管理する電子掲示板毎の送信先情報とを記憶する記憶部２２０と、受信した投稿データの内容を当該投稿者に対応する電子掲示板データに登録する記事登録部２１２と、受信した投稿データの内容と、当該投稿者に対応する電子掲示板へのアクセス情報とを含む掲載データを作成し、投稿データに含まれる識別情報に対応する送信先情報を記憶部２２０から取得し、取得した送信先情報に対応する送信先に掲載データを送信する掲載データ送信部２１３と、を備える。【選択図】図４
2010224583.tif 000002
【特許請求の範囲】
【請求項１】
所定のネットワークを介して接続された端末装置から送られてくる、投稿者情報と、記事情報と、重複掲載を希望する電子掲示板を示す識別情報とを含む投稿データを受信する受信手段と、
契約したユーザに対応する電子掲示板データと、所定のネットワークを介して接続された他のサーバが管理する電子掲示板の所在を示す送信先情報とを記憶する記憶部と、
前記受信した投稿データから投稿者情報と、記事情報とを取り出し、該記事情報を前記投稿者情報が示すユーザに対応する前記電子掲示板データに登録する登録手段と、
前記投稿者情報と、前記記事情報と、前記投稿者情報が示すユーザに対応する電子掲示板にアクセスするためのアクセス情報とを含む掲載データを作成し、前記受信した投稿データから取り出した識別情報に対応する送信先情報を前記記憶部から取得し、取得した送信先情報に対応する送信先に前記掲載データを送信する掲載データ送信手段と、
を備えることを特徴とする電子掲示板サーバ。
【請求項２】
前記記憶部は、前記他のサーバが管理する電子掲示板毎の登録形式をさらに記憶し、
前記受信した投稿データから取り出した識別情報に対応する電子掲示板の登録形式を前記記憶部から取得し、取得した登録形式と、当該受信した投稿データから取り出した記事情報の内容とが適合しているか否かを判定し、適合していない場合には、適合していない旨を示す投稿応答データを当該投稿データの送信元の端末装置に送信する登録形式確認手段をさらに備える、
ことを特徴とする請求項１に記載の電子掲示板サーバ。
【請求項３】
前記登録形式確認手段が送信する前記投稿応答データには、適合していない箇所の修正をユーザに促す修正用画面データが含まれる、
ことを特徴とする請求項２に記載の電子掲示板サーバ。
【請求項４】
前記記憶部は、前記他のサーバが管理する電子掲示板毎の登録項目をさらに記憶し、
前記受信した投稿データから取り出した識別情報に対応する電子掲示板の登録項目を前記記憶部から取得し、取得した登録項目に従い、当該受信した投稿データから項目情報を抽出する項目抽出手段をさらに備え、
前記掲載データ送信手段は、前記項目抽出手段により抽出された項目情報に基づき、前記掲載データを作成する、
ことを特徴とする請求項１乃至３の何れか１項に記載の電子掲示板サーバ。
【請求項５】
所定のネットワークを介して接続された端末装置から送られてくる、投稿者情報と、記事情報とを含む投稿データを受信する受信手段と、
契約したユーザに対応する電子掲示板データと、所定のネットワークを介して接続された他のサーバが管理する電子掲示板の所在を示す送信先情報と、前記他のサーバが管理する電子掲示板毎の登録条件とを記憶する記憶部と、
前記受信した投稿データから投稿者情報と、記事情報とを取り出し、該記事情報を前記投稿者情報が示すユーザに対応する前記電子掲示板データに登録する登録手段と、
前記記事情報の内容を基に、登録条件が合致する電子掲示板を示す識別情報を前記記憶部から取得する重複掲載先検索手段と、
前記投稿者情報と、前記記事情報と、前記投稿者情報が示すユーザに対応する電子掲示板にアクセスするためのアクセス情報とを含む掲載データを作成し、前記重複掲載先検索手段が取得した識別情報に対応する送信先情報を前記記憶部から取得し、取得した送信先情報に対応する送信先に前記掲載データを送信する掲載データ送信手段と、
を備えることを特徴とする電子掲示板サーバ。
【請求項６】
前記記憶部は、前記他のサーバが管理する電子掲示板毎の登録項目をさらに記憶し、
前記重複掲載先検索手段により取得された識別情報に対応する電子掲示板の登録項目を前記記憶部から取得し、取得した登録項目に従い、当該受信した投稿データから項目情報を抽出する項目抽出手段をさらに備え、
前記掲載データ送信手段は、前記項目抽出手段により抽出された項目情報に基づき、前記掲載データを作成する、
ことを特徴とする請求項５に記載の電子掲示板サーバ。
【請求項７】
第１の電子掲示板サーバと、所定のネットワークを介して前記第１の電子掲示板サーバに接続された端末装置と、所定のネットワークを介して前記第１の電子掲示板サーバに接続された１又は複数の第２の電子掲示板サーバとを備える電子掲示板システムであって、
前記第１の電子掲示板サーバは、
前記端末装置から送られてくる、投稿者情報と、記事情報と、重複掲載を希望する電子掲示板を示す識別情報とを含む投稿データを受信する受信手段と、
契約したユーザに対応する電子掲示板データと、前記第２の電子掲示板サーバが管理する電子掲示板の所在を示す送信先情報とを記憶する記憶部と、
前記受信した投稿データから投稿者情報と、記事情報とを取り出し、該記事情報を前記投稿者情報が示すユーザに対応する前記電子掲示板データに登録する登録手段と、
前記投稿者情報と、前記記事情報と、前記投稿者情報が示すユーザに対応する電子掲示板にアクセスするためのアクセス情報とを含む掲載データを作成し、前記受信した投稿データから取り出した識別情報に対応する送信先情報を前記記憶部から取得し、取得した送信先情報に対応する送信先に前記掲載データを送信する掲載データ送信手段と、を備え、
前記第２の電子掲示板サーバは、前記第１の電子掲示板サーバからの前記掲載データを受信すると、管理する電子掲示板に受信した掲載データの内容を表示する、
ことを特徴とする電子掲示板システム。
【請求項８】
第１の電子掲示板サーバと、所定のネットワークを介して前記第１の電子掲示板サーバに接続された端末装置と、所定のネットワークを介して前記第１の電子掲示板サーバに接続された１又は複数の第２の電子掲示板サーバとを備える電子掲示板システムであって、
前記第１の電子掲示板サーバは、
前記端末装置から送られてくる、投稿者情報と、記事情報とを含む投稿データを受信する受信手段と、
契約したユーザに対応する電子掲示板データと、前記第２の電子掲示板サーバが管理する電子掲示板の所在を示す送信先情報と、前記第２の電子掲示板サーバが管理する電子掲示板毎の登録条件とを記憶する記憶部と、
前記受信した投稿データから投稿者情報と、記事情報とを取り出し、該記事情報を前記投稿者情報が示すユーザに対応する前記電子掲示板データに登録する登録手段と、
前記記事情報の内容を基に、登録条件が合致する電子掲示板を示す識別情報を前記記憶部から取得する重複掲載先検索手段と、
前記投稿者情報と、前記記事情報と、前記投稿者情報が示すユーザに対応する電子掲示板にアクセスするためのアクセス情報とを含む掲載データを作成し、前記重複掲載先検索手段が取得した識別情報に対応する送信先情報を前記記憶部から取得し、取得した送信先情報に対応する送信先に前記掲載データを送信する掲載データ送信手段と、を備え、
前記第２の電子掲示板サーバは、前記第１の電子掲示板サーバからの前記掲載データを受信すると、管理する電子掲示板に受信した掲載データの内容を表示する、
ことを特徴とする電子掲示板システム。
【請求項９】
所定のネットワークを介して接続された端末装置から送られてくる、投稿者情報と、記事情報と、重複掲載を希望する電子掲示板を示す識別情報とを含む投稿データを受信する受信ステップと、
前記受信した投稿データから投稿者情報と、記事情報とを取り出し、該記事情報を契約したユーザに対応する電子掲示板データを記憶する電子掲示板記憶部に記憶された、前記投稿者情報が示すユーザに対応する電子掲示板データに登録する登録ステップと、
前記投稿者情報と、前記記事情報と、前記投稿者情報が示すユーザに対応する電子掲示板にアクセスするためのアクセス情報とを含む掲載データを作成し、所定のネットワークを介して接続された他のサーバが管理する電子掲示板の所在を示す送信先情報を記憶する送信先記憶部から前記受信した投稿データから取り出した識別情報に対応する送信先情報を取得し、取得した送信先情報に対応する送信先に前記掲載データを送信する掲載データ送信ステップと、
を有することを特徴とする電子掲示板システムにおける投稿記事の重複掲載方法。
【請求項１０】
所定のネットワークを介して接続された端末装置から送られてくる、投稿者情報と、記事情報とを含む投稿データを受信する受信ステップと、
前記受信した投稿データから投稿者情報と、記事情報とを取り出し、該記事情報を契約したユーザに対応する電子掲示板データを記憶する電子掲示板記憶部に記憶された、前記投稿者情報が示すユーザに対応する電子掲示板データに登録する登録ステップと、
前記記事情報の内容を基に、所定のネットワークを介して接続された他のサーバが管理する電子掲示板毎の登録条件を記憶する記憶部から登録条件が合致する電子掲示板を示す識別情報を取得する重複掲載先検索ステップと、
前記投稿者情報と、前記記事情報と、前記投稿者情報が示すユーザに対応する電子掲示板にアクセスするためのアクセス情報とを含む掲載データを作成し、前記他のサーバが管理する電子掲示板の所在を示す送信先情報とを記憶する送信先記憶部から前記取得した識別情報に対応する送信先情報を取得し、取得した送信先情報に対応する送信先に前記掲載データを送信する掲載データ送信ステップと、
を有することを特徴とする電子掲示板システムにおける投稿記事の重複掲載方法。
【発明の詳細な説明】
【技術分野】
【０００１】
本発明は、１つの電子掲示板サーバに記事を登録すると、他の電子掲示板サーバにも当該記事の内容を登録できる電子掲示板サーバ、電子掲示板システム及び電子掲示板システムにおける投稿記事の重複掲載方法に関する。
【背景技術】
【０００２】
電子掲示板システムは、利用者端末からネットワークを介して電子化された記事を投稿し、その投稿内容を第三者が閲覧できるシステムをいう。例えば、電子掲示板システムの利用者は、閲覧ソフト（ウェブブラウザ等）を用いて、電子掲示板が存在するＷＷＷ（World Wide Web）上のＷｅｂサイトを参照することで、記事を投稿し、又は、投稿された記事を閲覧することができる。利用者端末から投稿された記事は、電子掲示板サーバに送信され、また、利用者から閲覧の要求があった記事は、電子掲示板サーバから利用者端末に送信される。
【０００３】
このような電子掲示板システムは、インターネットを用いた代表的なコミュニケーション手段として普及している。電子掲示板システムは、ＢＢＳ（Bulletin Board System）または、Ｂｌｏｇシステムとも呼ばれている。電子掲示板システムには、大別すると、投稿者別汎用電子掲示板システムと、目的限定電子掲示板システムの２種類がある。
【０００４】
投稿者別汎用掲示板システムでは、投稿者毎に独立した掲示板のＷｅｂ（以下、掲示板サイト）が存在し、各掲示板サイトにおいて投稿者は自由な内容／形式の記事を投稿できる。例えば、Ｙａｈｏｏブログ（http://blogs.yahoo.co.jp/）、Ｅｘｃｉｔｅブログ（http://www.exblog.jp/）、ウェブリブログ（http://webryblog.biglobe.ne.jp/）等がこれに該当する。投稿者別汎用掲示板システムへの投稿者は特に内容にこだわらず日記風にその日に起こったことや、考えたことを投稿することが多い。その中には、商品や書籍の感想や旅行記も含まれる。
【０００５】
一方、目的限定電子掲示板システムでは、その掲示板サイトで投稿できる情報の内容／形式がシステムの管理者（電子掲示板サーバの運用者）により限定されている。例えば、製品のレビュー記事に限定した価格コムの口コミ掲示板（http://bbs.kakaku.com/bbs）や、書籍等の製品のレビュー記事に限定したＡｍａｚｏｎ（http://www.amazon.co.jp）、旅行記に限定した４Ｔｒａｖｅｌ（http://4travel.jp）等がこれに該当する。
【０００６】
ところで、投稿者別汎用電子掲示板システムにおける記事の投稿者（汎用掲示板サイトの管理者）の多くは、自分の作成した記事を幅広い人に閲覧してもらいたいと願っている。幅広い人に閲覧されることにより、記事に対する様々なコメントを得られたり、広告収入等の閲覧数（アクセス数）に応じた収入を得られるというメリットがある。
【０００７】
また、目的限定電子掲示板システムの管理者は、多くの人が記事を投稿してくれることを期待する。多くの人が記事を投稿すると、システムに蓄積される記事数が増え、それにより、Ｗｅｂサイトのアクセス数が向上し、広告収入等のＷｅｂサイトのアクセス数に比例した収入を得られるというメリットがある。
【０００８】
一般的に、人気（知名度）の高い掲示板サイトは、多くの人に閲覧され、また、そのような掲示板サイトには、多くの人が記事を投稿する。従来、汎用掲示板サイトの管理者や目的限定電子掲示板システムの管理者は、閲覧数や投稿数を増加させるため、多くの広告費をかけて自身の掲示板サイトを宣伝し、その知名度を上げることが必要であった。
【０００９】
したがって、広告費を必要とせずに、投稿者別汎用電子掲示板システムの閲覧数を向上させ、それと共に目的限定電子掲示板システムへの投稿数を増加させるための新たな方策が切望されているのが実状である。
【００１０】
これに対し、例えば、１回の投稿で、同じ記事内容を複数の掲示板サイトに登録する技術が特許文献１で提案されている。
【００１１】
【特許文献１】特開２００６−６５３８６号公報
【発明の開示】
【発明が解決しようとする課題】
【００１２】
特許文献１で提案される技術は、１つの電子掲示板サーバが管理する複数の掲示板サイトにおいて、投稿者の希望により、同一記事の内容が重複登録できる、というものである。したがって、特許文献１で提案される技術は、投稿者別汎用電子掲示板システムと、目的限定電子掲示板システムとの間における記事内容の重複登録については、その目的の範囲外であるといえる。ましてや、特許文献１の技術は、投稿者別汎用電子掲示板システムの掲示板サイトの閲覧数を向上させ、それと共に目的限定電子掲示板システムの掲示板サイトへの投稿数を増加させる方策にはなり得ない。
【００１３】
本発明は、上記実状に鑑みてなされたものであり、広告費を必要とせずに、投稿者別汎用電子掲示板システムの掲示板サイトの閲覧数を向上させ、加えて、目的限定電子掲示板システムの掲示板サイトへの投稿数を増加させることのできる電子掲示板サーバ、電子掲示板システム及び電子掲示板システムにおける投稿記事の重複掲載方法を提供することを目的とする。
【課題を解決するための手段】
【００１４】
本発明の第１の観点に係る電子掲示板サーバは、所定のネットワークを介して接続された端末装置から送られてくる、投稿者情報と、記事情報と、重複掲載を希望する電子掲示板を示す識別情報とを含む投稿データを受信する受信手段と、契約したユーザに対応する電子掲示板データと、所定のネットワークを介して接続された他のサーバが管理する電子掲示板の所在を示す送信先情報とを記憶する記憶部と、前記受信した投稿データから投稿者情報と、記事情報とを取り出し、該記事情報を前記投稿者情報が示すユーザに対応する前記電子掲示板データに登録する登録手段と、前記投稿者情報と、前記記事情報と、前記投稿者情報が示すユーザに対応する電子掲示板にアクセスするためのアクセス情報とを含む掲載データを作成し、前記受信した投稿データから取り出した識別情報に対応する送信先情報を前記記憶部から取得し、取得した送信先情報に対応する送信先に前記掲載データを送信する掲載データ送信手段と、を備えることを特徴とする。
【００１５】
上記構成の電子掲示板サーバにおいて、前記記憶部は、前記他のサーバが管理する電子掲示板毎の登録形式をさらに記憶し、前記受信した投稿データから取り出した識別情報に対応する電子掲示板の登録形式を前記記憶部から取得し、取得した登録形式と、当該受信した投稿データから取り出した記事情報の内容とが適合しているか否かを判定し、適合していない場合には、適合していない旨を示す投稿応答データを当該投稿データの送信元の端末装置に送信する登録形式確認手段をさらに備える構成にしてもよい。
【００１６】
上記の場合、前記登録形式確認手段が送信する前記投稿応答データには、適合していない箇所の修正をユーザに促す修正用画面データが含まれる、ようにしてもよい。
【００１７】
また、上記構成の電子掲示板サーバにおいて、前記記憶部は、前記他のサーバが管理する電子掲示板毎の登録項目をさらに記憶し、前記受信した投稿データから取り出した識別情報に対応する電子掲示板の登録項目を前記記憶部から取得し、取得した登録項目に従い、当該受信した投稿データから項目情報を抽出する項目抽出手段をさらに備え、前記掲載データ送信手段は、前記項目抽出手段により抽出された項目情報に基づき、前記掲載データを作成する、ようにしてもよい。
【００１８】
本発明の第２の観点に係る電子掲示板サーバは、所定のネットワークを介して接続された端末装置から送られてくる、投稿者情報と、記事情報とを含む投稿データを受信する受信手段と、契約したユーザに対応する電子掲示板データと、所定のネットワークを介して接続された他のサーバが管理する電子掲示板の所在を示す送信先情報と、前記他のサーバが管理する電子掲示板毎の登録条件とを記憶する記憶部と、前記受信した投稿データから投稿者情報と、記事情報とを取り出し、該記事情報を前記投稿者情報が示すユーザに対応する前記電子掲示板データに登録する登録手段と、前記記事情報の内容を基に、登録条件が合致する電子掲示板を示す識別情報を前記記憶部から取得する重複掲載先検索手段と、前記投稿者情報と、前記記事情報と、前記投稿者情報が示すユーザに対応する電子掲示板にアクセスするためのアクセス情報とを含む掲載データを作成し、前記重複掲載先検索手段が取得した識別情報に対応する送信先情報を前記記憶部から取得し、取得した送信先情報に対応する送信先に前記掲載データを送信する掲載データ送信手段と、を備えることを特徴とする。
【００１９】
上記構成の電子掲示板サーバにおいて、前記記憶部は、前記他のサーバが管理する電子掲示板毎の登録項目をさらに記憶し、前記重複掲載先検索手段により取得された識別情報に対応する電子掲示板の登録項目を前記記憶部から取得し、取得した登録項目に従い、当該受信した投稿データから項目情報を抽出する項目抽出手段をさらに備え、前記掲載データ送信手段は、前記項目抽出手段により抽出された項目情報に基づき、前記掲載データを作成する、ようにしてもよい。
【００２０】
本発明の第１の観点に係る電子掲示板システムは、第１の電子掲示板サーバと、所定のネットワークを介して前記第１の電子掲示板サーバに接続された端末装置と、所定のネットワークを介して前記第１の電子掲示板サーバに接続された１又は複数の第２の電子掲示板サーバとを備える電子掲示板システムであって、前記第１の電子掲示板サーバは、前記端末装置から送られてくる、投稿者情報と、記事情報と、重複掲載を希望する電子掲示板を示す識別情報とを含む投稿データを受信する受信手段と、契約したユーザに対応する電子掲示板データと、前記第２の電子掲示板サーバが管理する電子掲示板の所在を示す送信先情報とを記憶する記憶部と、前記受信した投稿データから投稿者情報と、記事情報とを取り出し、該記事情報を前記投稿者情報が示すユーザに対応する前記電子掲示板データに登録する登録手段と、前記投稿者情報と、前記記事情報と、前記投稿者情報が示すユーザに対応する電子掲示板にアクセスするためのアクセス情報とを含む掲載データを作成し、前記受信した投稿データから取り出した識別情報に対応する送信先情報を前記記憶部から取得し、取得した送信先情報に対応する送信先に前記掲載データを送信する掲載データ送信手段と、を備え、前記第２の電子掲示板サーバは、前記第１の電子掲示板サーバからの前記掲載データを受信すると、管理する電子掲示板に受信した掲載データの内容を表示する、ことを特徴とする。
【００２１】
本発明の第２の観点に係る電子掲示板システムは、第１の電子掲示板サーバと、所定のネットワークを介して前記第１の電子掲示板サーバに接続された端末装置と、所定のネットワークを介して前記第１の電子掲示板サーバに接続された１又は複数の第２の電子掲示板サーバとを備える電子掲示板システムであって、前記第１の電子掲示板サーバは、前記端末装置から送られてくる、投稿者情報と、記事情報とを含む投稿データを受信する受信手段と、契約したユーザに対応する電子掲示板データと、前記第２の電子掲示板サーバが管理する電子掲示板の所在を示す送信先情報と、前記第２の電子掲示板サーバが管理する電子掲示板毎の登録条件とを記憶する記憶部と、前記受信した投稿データから投稿者情報と、記事情報とを取り出し、該記事情報を前記投稿者情報が示すユーザに対応する前記電子掲示板データに登録する登録手段と、前記記事情報の内容を基に、登録条件が合致する電子掲示板を示す識別情報を前記記憶部から取得する重複掲載先検索手段と、前記投稿者情報と、前記記事情報と、前記投稿者情報が示すユーザに対応する電子掲示板にアクセスするためのアクセス情報とを含む掲載データを作成し、前記重複掲載先検索手段が取得した識別情報に対応する送信先情報を前記記憶部から取得し、取得した送信先情報に対応する送信先に前記掲載データを送信する掲載データ送信手段と、を備え、前記第２の電子掲示板サーバは、前記第１の電子掲示板サーバからの前記掲載データを受信すると、管理する電子掲示板に受信した掲載データの内容を表示する、ことを特徴とする。
【００２２】
本発明の第１の観点に係る電子掲示板システムにおける投稿記事の重複掲載方法は、所定のネットワークを介して接続された端末装置から送られてくる、投稿者情報と、記事情報と、重複掲載を希望する電子掲示板を示す識別情報とを含む投稿データを受信する受信ステップと、前記受信した投稿データから投稿者情報と、記事情報とを取り出し、該記事情報を契約したユーザに対応する電子掲示板データを記憶する電子掲示板記憶部に記憶された、前記投稿者情報が示すユーザに対応する電子掲示板データに登録する登録ステップと、前記投稿者情報と、前記記事情報と、前記投稿者情報が示すユーザに対応する電子掲示板にアクセスするためのアクセス情報とを含む掲載データを作成し、所定のネットワークを介して接続された他のサーバが管理する電子掲示板の所在を示す送信先情報を記憶する送信先記憶部から前記受信した投稿データから取り出した識別情報に対応する送信先情報を取得し、取得した送信先情報に対応する送信先に前記掲載データを送信する掲載データ送信ステップと、を有することを特徴とする。
【００２３】
本発明の第２の観点に係る電子掲示板システムにおける投稿記事の重複掲載方法は、所定のネットワークを介して接続された端末装置から送られてくる、投稿者情報と、記事情報とを含む投稿データを受信する受信ステップと、前記受信した投稿データから投稿者情報と、記事情報とを取り出し、該記事情報を契約したユーザに対応する電子掲示板データを記憶する電子掲示板記憶部に記憶された、前記投稿者情報が示すユーザに対応する電子掲示板データに登録する登録ステップと、前記記事情報の内容を基に、所定のネットワークを介して接続された他のサーバが管理する電子掲示板毎の登録条件を記憶する記憶部から登録条件が合致する電子掲示板を示す識別情報を取得する重複掲載先検索ステップと、前記投稿者情報と、前記記事情報と、前記投稿者情報が示すユーザに対応する電子掲示板にアクセスするためのアクセス情報とを含む掲載データを作成し、前記他のサーバが管理する電子掲示板の所在を示す送信先情報とを記憶する送信先記憶部から前記取得した識別情報に対応する送信先情報を取得し、取得した送信先情報に対応する送信先に前記掲載データを送信する掲載データ送信ステップと、を有することを特徴とする。
【発明の効果】
【００２４】
本発明によれば、広告費等を必要とせずに、投稿者別汎用電子掲示板システムの掲示板サイトの閲覧数を増加させ、加えて、目的限定電子掲示板システムの掲示板サイトへの投稿数を増加させることが期待できる。
【発明を実施するための最良の形態】
【００２５】
以下、本発明に係る電子掲示板システムの実施例について図面を参照して説明する。
【００２６】
《実施例１》
図１は、実施例１の電子掲示板システムの全体構成図である。本システムは、投稿者別汎用電子掲示板サーバ２００と、一つ以上の目的限定電子掲示板サーバ３００（図１では、３００Ａ，３００Ｂ，３００Ｃの３つの目的限定電子掲示板サーバ３００がある）と、ＰＣ（Personal Computer）等の端末装置１００と、から構成される。投稿者別汎用電子掲示板サーバ２００、目的限定電子掲示板サーバ３００及び端末装置１００は、インターネットやＬＡＮ（Local Area Network）等のネットワーク４００に接続している。
【００２７】
投稿者別汎用電子掲示板サーバ２００は、投稿者別汎用電子掲示板サービスを提供するサーバである。端末装置１００のユーザ（例えば、“yamada”さん）は、投稿者別汎用電子掲示板サーバ２００に自己の掲示板サイトを管理させている。目的限定電子掲示板サーバ３００は、目的限定電子掲示板サービスを提供するサーバであり、各サーバ（３００Ａ、３００Ｂ、３００Ｃ）は、それぞれ投稿できる情報の内容等が異なっている。本実施例では、目的限定電子掲示板サーバ３００Ａは、掲示板サイトＡを管理し、目的限定電子掲示板サーバ３００Ｂは、掲示板サイトＢを管理し、目的限定電子掲示板サーバ３００Ｃは、掲示板サイトＣを管理する。
【００２８】
投稿者（例えば、“yamada”さん）は、自己の掲示板サイトに投稿する際、先ず、端末装置１００を使用して、図２に示すように、投稿内容（記事のタイトル及び記事内容）と、同時投稿（即ち、重複投稿）を希望する他の掲示板サイトの種類を入力する。端末装置１００は、入力された投稿内容と、投稿日時と、投稿者のユーザ名と、同時投稿先の掲示板サイトの識別情報（掲示板サイトのＩＤ等）と、を含む投稿データをネットワーク４００経由で投稿者別汎用電子掲示板サーバ２００に送信する。
【００２９】
投稿者別汎用電子掲示板サーバ２００は、端末装置１００から送信された投稿データを受信すると、該投稿データから記事情報（投稿日時、記事のタイトル、記事内容等からなる情報）を抽出する。そして、投稿者別汎用電子掲示板サーバ２００は、かかる記事情報の内容を当該投稿者（即ち、“yamada”さん）の掲示板サイト（例えば、サイト名が“yamada日記”）に当該掲示板サイトの登録形式に従って登録（即ち、掲載）する（図３（ａ）参照）。
【００３０】
また、投稿者別汎用電子掲示板サーバ２００は、受信した投稿データから識別情報を抽出し、これに該当する掲示板サイトを管理する目的限定電子掲示板サーバ３００に掲載データを送信する。該掲載データには、上記記事情報と、投稿者のユーザ名と、投稿者の掲示板サイトにアクセスするための情報（以下、アクセス情報という。）と、が含まれる。アクセス情報は、例えば、ユーザの掲示板サイト（例えば、“yamada日記”）のＵＲＬ（Uniform Resource Locator）等が該当する。
【００３１】
目的限定電子掲示板サーバ３００は、投稿者別汎用電子掲示板サーバ２００から送られてきた掲載データを受信し、管理する掲示板サイトに受信した掲載データの内容を当該掲示板サイトの登録形式に従って掲載する。図２の例では、同時投稿する掲示板サイトとして掲示板サイトＡが指定されているため、投稿者別汎用電子掲示板サーバ２００から、目的限定電子掲示板サーバ３００Ａに掲載データが送信される。
【００３２】
この場合、目的限定電子掲示板サーバ３００Ａが管理する掲示板サイトＡには、図３（ｂ）に示すような内容の情報が掲載される。ここで、「投稿者」欄に記載される“yamada”は、いわゆるハイパーテキストであり、“yamada日記”のＵＲＬと関連付けられている。これにより、例えば、かかる情報を閲覧したユーザは、「投稿者」欄の“yamada”を選択する（例えば、マウスを使ってクリックする。）だけで、“yamada日記”のサイトへジャンプし、“yamada日記”を閲覧することができる。
【００３３】
図４は、本実施例に係る投稿者別汎用電子掲示板サーバ２００の機能的な構成を示すブロック図である。図４に示すように、投稿者別汎用電子掲示板サーバ２００は、ハードディスクや不揮発性メモリ等から構成される記憶部２２０と、プログラム制御により動作する処理部２１０とを備える。
【００３４】
記憶部２２０は、サイト記憶部２２１と、送信先記憶部２２２とから構成される。サイト記憶部２２１は、顧客（投稿者）毎に用意された掲示板サイト（例えば、Ｗｅｂページ）を記憶する。送信先記憶部２２２は、目的限定電子掲示板サーバ３００が管理する掲示板サイト（掲示板サイトＡ〜Ｃ）の識別情報と、送信先情報とを関連付けたデータテーブル（送信先情報テーブル）を記憶する。
【００３５】
処理部２１０は、受信部２１１と、記事登録部２１２と、掲載データ送信部２１３とを備える。受信部２１１は、端末装置１００からネットワーク４００経由で送られてくる投稿データを受信する。記事登録部２１２は、受信部２１１で受信した投稿データから前述した記事情報を抽出し、該記事情報の内容をサイト記憶部２２１に記憶している当該投稿者の掲示板サイトに登録する。
【００３６】
掲載データ送信部２１３は、受信部２１１で受信した投稿データから識別情報を抽出し、該識別情報に対応する送信先情報を送信先記憶部２２２から読み出した送信先情報テーブルから取得する。そして、掲載データ送信部２１３は、前述した掲載データをその送信先情報が示す送信先（即ち、目的限定電子掲示板サーバ３００）に送信する。
【００３７】
図５は、投稿者により新たな記事が投稿された際の端末装置１００、投稿者別汎用電子掲示板サーバ２００及び目的限定電子掲示板サーバ３００のそれぞれの処理手順を示すフローチャートである。まず、投稿者（例えば、“yamada”さん）の操作に従い、端末装置１００は、投稿者別汎用電子掲示板サーバ２００から投稿用画面データを取得し、ディスプレイ装置に表示する。
【００３８】
投稿者は、表示された投稿用画面を介して、投稿内容（記事のタイトル及び記事内容）と、同時投稿する掲示板サイトの種類を入力する（ステップＳ１）。図２では、投稿者により、タイトル項目に「商品Ａ」、内容項目に「商品Ａはデザインが良かった。」と入力され、同時投稿を希望する掲示板サイトとして「掲示板Ａ」（即ち、掲示板サイトＡ）が選択された例を示している。
【００３９】
端末装置１００は、入力された投稿内容と、投稿日時と、投稿者のユーザ名と、選択された同時投稿先の掲示板サイトの識別情報とを含む投稿データをネットワーク４００経由で投稿者別汎用電子掲示板サーバ２００に送信する（ステップＳ２）。
【００４０】
投稿者別汎用電子掲示板サーバ２００の受信部２１１は、端末装置１００から送信された投稿データを受信する（ステップＳ３）。記事登録部２１２は、受信した投稿データから記事情報を抽出し、この記事情報の内容をサイト記憶部２２１に記憶している当該投稿者の掲示板サイト（Ｗｅｂページ）に掲載する（ステップＳ４）。例えば、投稿者が、“yamada”の場合は、図３（ａ）に示すように“yamada日記”に記事情報の内容が掲載される。
【００４１】
次に、掲載データ送信部２１３は、受信部２１１で受信した投稿データから識別情報を抽出し、その識別情報に対応する送信先情報を送信先記憶部２２２から読み出した送信先情報テーブルから取得する。そして、掲載データ送信部２１３は、受信した投稿データから取り出した記事情報及び投稿者のユーザ名と、アクセス情報とを含む掲載データを作成し、取得した送信先情報が示す送信先に送信する（ステップＳ５）。
【００４２】
送信先情報テーブルには、図６に示すように、同時投稿可能な掲示板サイトの識別情報と、送信先情報との対応関係が規定されている。識別情報は、例えば、各掲示板サイトにユニークに割り振られた自然数であり、本実施例では、ＩＤ：１が、掲示板サイトＡを示し、ＩＤ：２が、掲示板サイトＢを示し、ＩＤ：３が、掲示板サイトＣを示す。
【００４３】
送信先情報は、ネットワーク４００経由で掲載データを送信する際の送信先に関する情報であり、例えば、ＩＰ（Internet Protocol）アドレスやＵＲＬが、これに該当する。図６の例では、送信先情報をＵＲＬで示している。例えば、受信部２１１で受信した投稿データに含まれる識別情報（ＩＤ）が１の場合（本実施例では、掲示板サイトＡを示す。）、これに対応する送信先情報は、「http://www.shohin***.com/」となる。
【００４４】
目的限定電子掲示板サーバ３００は、投稿者別汎用電子掲示板サーバ２００から送られてきた掲載データを受信し（ステップＳ６）、管理する掲示板サイト（例えば、掲示板サイトＡ）に受信した掲載データの内容を登録する（ステップＳ７）。
【００４５】
以上説明したように、本実施例の電子掲示板システムによれば、投稿者が、投稿者別汎用電子掲示板サーバ２００が管理する自己の掲示板サイトに投稿すると、当該掲示板サイトだけでなく、目的限定電子掲示板サーバ３００が管理する掲示板サイトにも同時登録（同時投稿）することが可能となる。
【００４６】
また、目的限定電子掲示板サーバ３００が管理する掲示板サイトに同時登録される内容には、投稿者の掲示板サイトのアクセス情報も付加されている。したがって、同時掲載された記事を閲覧した閲覧者は、投稿者別汎用電子掲示板サーバ２００が管理する投稿者の掲示板サイトに容易にアクセスすることができる。したがって、投稿者の掲示板サイトのアクセス数向上が期待できる。
【００４７】
なお、本実施例では、掲載データ送信部２１３によって作成される掲載データには、受信した投稿データに含まれる記事情報の内容が全て含まれているが、例えば、同時投稿先の掲示板サイトに登録するために必要な項目をチェックし、不要な情報を掲載データに含めないようにする機能を追加してもよい。
【００４８】
また、本実施例では、図５のフローチャートにおいて、記事登録部２１２による処理（登録処理）を実行してから、掲載データ送信部２１３による処理（掲載データ送信処理）を実行しているが、この順番とは逆に、掲載データ送信処理を実行してから、登録処理を実行してもよい。
【００４９】
また、掲載データ送信処理は、登録処理後、直ちに実行される以外にも、例えば、目的限定電子掲示板サーバ３００からの記事取得要求を受けた後に、実行されるようにしてもよい。
【００５０】
《実施例２》
実施例２の電子掲示板システムの全体構成は、実施例１の電子掲示板システムの全体構成（図１）と同一である。したがって、本実施例の電子掲示板システムは、投稿者別汎用電子掲示板サーバ２００と、一つ以上の目的限定電子掲示板サーバ３００と、端末装置１００と、から構成される。また、投稿者別汎用電子掲示板サーバ２００、目的限定電子掲示板サーバ３００及び端末装置１００は、インターネットやＬＡＮ（Local Area Network）等のネットワーク４００に接続している。
【００５１】
投稿者（例えば、“yamada”さん）は、自己の掲示板サイトに投稿する際、先ず、端末装置１００を使用して、図７に示すように、投稿内容（記事のタイトル及び記事内容）と、同時投稿を希望する他の掲示板サイトの種類を入力する。端末装置１００は、入力された投稿内容と、投稿日時と、投稿者のユーザ名と、同時投稿先の掲示板サイトの識別情報（掲示板サイトのＩＤ等）とを含む投稿データをネットワーク４００経由で投稿者別汎用電子掲示板サーバ２００に送信する。
【００５２】
投稿者別汎用電子掲示板サーバ２００は、端末装置１００から送信された投稿データを受信すると、該投稿データから記事情報（投稿日時、記事のタイトル、記事内容等からなる情報）を抽出する。そして、投稿者別汎用電子掲示板サーバ２００は、かかる記事情報の内容を当該投稿者（即ち、“yamada”さん）の掲示板サイト（例えば、サイト名が“yamada日記”）に当該掲示板サイトの登録形式に従って登録（即ち、掲載）する（図８（ａ）参照）。
【００５３】
また、投稿者別汎用電子掲示板サーバ２００は、記事情報の内容が、同時投稿する掲示板サイトの登録形式に適合しているか否かを確認する。同時投稿する掲示板サイトの登録形式に適合している場合は、投稿者別汎用電子掲示板サーバ２００は、実施例１と同様に、対応する掲示板サイトを管理する目的限定電子掲示板サーバ３００に掲載データを送信する。
【００５４】
一方、同時投稿する掲示板サイトの登録形式に適合していない場合（例えば、項目が不足している、記事内容の文字数が不足している等）、修正要求情報をネットワーク４００経由で端末装置１００に送信する。端末装置１００は、修正要求情報を受信すると、ディスプレイ装置にその内容を表示する。投稿者は、表示された修正要求情報の内容に従って、投稿記事の修正を行う（図９参照）。図９の例は、掲示板サイトＡへの登録形式として、「タイトル」、「商品名」、「内容」、「評価」の項目が必要であり、また、「内容」の文字数が２０字以上必要であり、「評価」には１〜１０の数値を入力する必要があることを示している。
【００５５】
端末装置１００は、投稿者により修正されたデータ（修正投稿データ）をネットワーク４００経由で投稿者別汎用掲示板サーバ２００に送信する。投稿者別汎用電子掲示板サーバ２００は、端末装置１００から送信された修正投稿データを受信すると、再度、記事情報の内容が、同時投稿する掲示板サイトの登録形式に適合しているか否かを確認する。そして、同時投稿する掲示板サイトの登録形式に適合している場合は、投稿者別汎用電子掲示板サーバ２００は、対応する掲示板サイトを管理する目的限定電子掲示板サーバ３００に掲載データを送信する。
【００５６】
目的限定電子掲示板サーバ３００は、投稿者別汎用電子掲示板サーバ２００から送られてきた掲載データを受信し、管理する掲示板サイトに受信した掲載データの内容を当該掲示板サイトの登録形式に従って登録する。図７の例では、同時投稿する電子掲示板として掲示板サイトＡが指定されているため、投稿者別汎用電子掲示板サーバ２００から、目的限定電子掲示板サーバ３００Ａに掲載データが送信される。
【００５７】
この場合、目的限定電子掲示板サーバ３００Ａが管理する掲示板サイトＡには、図８（ｂ）に示すような内容の情報が掲載される。ここで、「投稿者」欄に記載される“yamada”は、実施例１と同様、ハイパーテキストであり、“yamada日記”のＵＲＬと関連付けられている。これにより、閲覧者は、「投稿者」欄の“yamada”を選択するだけで、“yamada日記”のサイトへジャンプし、“yamada日記”を閲覧することができる。
【００５８】
図１０は、本実施例に係る投稿者別汎用電子掲示板サーバ２００の機能的な構成を示すブロック図である。図１０に示すように、本実施例の投稿者別汎用電子掲示板サーバ２００は、実施例１の投稿者別汎用電子掲示板サーバ２００（図４参照）と同様に、ハードディスクや不揮発性メモリ等から構成される記憶部２２０と、プログラム制御により動作する処理部２１０とを備える。本実施例の投稿者別汎用電子掲示板サーバ２００は、記憶部２２０に登録形式記憶部２２３を備え、処理部２１０に登録形式確認部２１４を備えている点が、実施例１の投稿者別汎用電子掲示板サーバ２００と異なる。同一点については、図１０において、同一符号を付し、説明を省略する。
【００５９】
登録形式記憶部２２３は、目的限定電子掲示板サーバ３００が管理する掲示板サイト（掲示板サイトＡ〜Ｃ）の識別情報と、その掲示板サイトの登録形式（登録フォーマット）とを関連付けたデータテーブル（登録形式情報テーブル）を記憶する。
【００６０】
登録形式確認部２１４は、受信部２１１が受信した端末装置１００からの投稿データ又は修正投稿データに含まれる記事情報の内容が、同時投稿する掲示板サイトの登録形式に適合しているか否かを登録形式情報テーブルを参照して確認する。同時投稿する掲示板サイトの登録形式に適合していない場合には、登録形式確認部２１４は、修正要求情報をネットワーク４００経由で端末装置１００に送信する。一方、適合している場合には、その旨を掲載データ送信部２１３に通知する。該通知を受けた掲載データ送信部２１３は、投稿データ又は修正投稿データを基に掲載データを作成し、同時投稿する掲示板サイトを管理する目的限定電子掲示板サーバ３００にその掲載データを送信する。
【００６１】
図１１は、投稿者により新たな記事が投稿された際の端末装置１００、投稿者別汎用電子掲示板サーバ２００及び目的限定電子掲示板サーバ３００のそれぞれの処理手順を示すフローチャートである。まず、投稿者（例えば、“yamada”さん）の操作に従い、端末装置１００は、投稿者別汎用電子掲示板サーバ２００から投稿用画面データを取得し、ディスプレイ装置に表示する。
【００６２】
投稿者は、表示された投稿用画面を介して、投稿内容（記事のタイトル及び記事内容）と、同時投稿する掲示板サイトの種類を入力する（ステップＳ１０１）。図７では、投稿者により、タイトル項目に「商品Ａの感想」、内容項目に「商品Ａはデザインが良かった。」と入力され、同時投稿を希望する掲示板サイトとして「掲示板Ａ」（即ち、掲示板サイトＡ）が選択された例を示している。
【００６３】
端末装置１００は、入力された投稿内容と、投稿日時と、投稿者のユーザ名と、選択された同時投稿先の掲示板サイトの識別情報とを含む投稿データをネットワーク４００経由で投稿者別汎用電子掲示板サーバ２００に送信する（ステップＳ１０２）。
【００６４】
投稿者別汎用電子掲示板サーバ２００の受信部２１１は、端末装置１００から送信された投稿データを受信する（ステップＳ１０３）。記事登録部２１２は、受信した投稿データから記事情報を抽出し、この記事情報の内容をサイト記憶部２２１に記憶している当該投稿者の掲示板サイト（Ｗｅｂページ）に掲載する（ステップＳ１０４）。例えば、投稿者が、“yamada”の場合は、図８（ａ）に示すように“yamada日記”に記事情報の内容が掲載される。
【００６５】
次に、登録形式確認部２１４は、受信部２１１が受信した端末装置１００からの投稿データに含まれる記事情報の内容が、同時投稿する掲示板サイトの登録形式に適合しているか否かを登録形式記憶部２２３から読み出した登録形式情報テーブルを参照して確認する（ステップＳ１０５）。その結果、同時投稿する掲示板サイトの登録形式に適合していない場合には、登録形式確認部２１４は、修正要求情報をネットワーク４００経由で端末装置１００に送信する（ステップＳ１０６）。
【００６６】
図１２に登録形式情報テーブルの内容の一例を示す。登録形式情報テーブルには、同時投稿する掲示板サイトの識別情報と、同時掲載可能な他の掲示板サイトの登録形式との対応関係が規定されている。また、図１２に示すように、登録形式情報テーブルの内容は、ＸＭＬ（eXtensible Markup Language）形式で記述されている。
【００６７】
図１２の例では、識別情報（ＩＤ）が１の掲示板サイト（本実施例では、掲示板サイトＡ）の登録形式が示されている。ここで、ＩＤは、＜ＩＤ＞、＜／ＩＤ＞間に記述される。また、各項目の定義が、＜ｉｔｅｍ＞、＜／ｉｔｅｍ＞間に記述される。そして、＜ｉｔｅｍ＞、＜／ｉｔｅｍ＞間において、項目の名称が、＜ｎａｍｅ＞、＜／ｎａｍｅ＞間に記述され、さらに、その記述条件が、＜ｃｏｎｄｉｔｉｏｎ＞、＜／ｃｏｎｄｉｔｉｏｎ＞間に記述される。
【００６８】
図１２の例では、掲示板サイトＡの投稿記事は、「ユーザ」、「商品名」、「タイトル」、「内容」、「日時」及び「評価」の６項目から構成されることが示されている。また、タイトルについて記述できる文字数は、４０文字以下(“ｌｅｎｇｔｈ”は文字数の条件を示す。)であり、内容については、２０文字以上記述する必要があることが示されている。さらに、評価については、１以上１０以下(“ｖａｌｕｅ”は数値の条件を示す。)で表す必要があることが示されている。
【００６９】
例えば、受信部２１１が受信した投稿データが、投稿者による図７に示すような投稿内容の入力に基づくものである場合、かかる投稿データの記事情報の内容は、掲示板サイトＡに登録することができない。即ち、当該投稿データの記事情報には、「商品名」と、「評価」の項目が無く、また、「内容」の文字数が１４文字であり、２０文字以上という条件を満たしていない。この場合、登録形式確認部２１４は、掲示板サイトＡの登録形式と適合しないこれらの部分についての修正を投稿者に要求するための修正要求情報を作成し、端末装置１００に送信する。
【００７０】
端末装置１００は、ネットワーク４００を介して修正要求情報を受信すると（ステップＳ１０７）、この内容をディスプレイ装置に表示する。投稿者は、端末装置１００のディスプレイ装置に表示された修正要求情報の内容に従って、図９に示すように、投稿記事の修正入力を行う（ステップＳ１０８）。投稿者による修正が完了すると、端末装置１００は、修正されたデータ（修正投稿データ）をネットワーク４００経由で投稿者別汎用掲示板サーバ２００に送信する（ステップＳ１０９）。
【００７１】
投稿者別汎用電子掲示板サーバ２００の受信部２１１により、端末装置１００から送信された修正投稿データが受信されると（ステップＳ１１０）、再度、登録形式確認部２１４により、修正投稿データに含まれる記事情報の内容が、同時投稿する掲示板サイトの登録形式に適合しているか否かの確認が行われる（ステップＳ１１１）。その結果、図９の例の如く修正された場合は、掲示板サイトＡの登録形式に適合しているので、登録形式確認部２１４は、送信指令を掲載データ送信部２１３に通知する。
【００７２】
登録形式確認部２１４からの通知を受けた掲載データ送信部２１３は、修正投稿データを基に掲載データを作成する。該掲載データには、実施例１と同様に、記事情報と、投稿者のユーザ名と、投稿者の掲示板サイトにアクセスするためのアクセス情報（例えば、ユーザの掲示板サイトのＵＲＬ等）と、が含まれる。また、掲載データ送信部２１３は、先に受信した投稿データに含まれる識別情報に対応する送信先情報を送信先記憶部２２２から読み出した送信先情報テーブルから取得する。そして、掲載データ送信部２１３は、作成した掲載データを取得した送信先情報が示す送信先（即ち、同時投稿する掲示板サイトを管理する目的限定電子掲示板サーバ３００）に送信する（ステップＳ１１２）。
【００７３】
なお、ステップＳ１０５の処理（初回の投稿データについての登録形式の確認処理）において、同時投稿する掲示板サイトの登録形式に適合していると確認された場合にも、登録形式確認部２１４によって送信指令が掲載データ送信部２１３に通知され、該通知を受けた掲載データ送信部２１３は、対応する目的限定電子掲示板サーバ３００に掲載データを送信する。
【００７４】
目的限定電子掲示板サーバ３００は、投稿者別汎用電子掲示板サーバ２００から送られてきた掲載データを受信し（ステップＳ１１３）、管理する掲示板サイト（例えば、掲示板サイトＡ）に受信した掲載データの内容を登録する（ステップＳ１１４）。
【００７５】
以上説明したように、本実施例の電子掲示板システムによれば、投稿者別汎用電子掲示板サーバ２００が管理する掲示板サイトと、同時投稿を希望する目的限定電子掲示板サーバ３００が管理する掲示板サイトとで投稿記事の登録形式が異なっている場合においても、実施例１と同等の効果を得ることが可能である。
【００７６】
なお、図１１のフローチャートでは、記事登録部２１２による処理（登録処理）を実行してから、掲載データ送信部２１３による処理（掲載データ送信処理）を実行しているが、この順番とは逆に、掲載データ送信処理を実行してから、登録処理を実行してもよい。
【００７７】
また、掲載データ送信処理は、登録形式確認部２１４からの送信指令を受けた後、直ちに実行される以外にも、例えば、目的限定電子掲示板サーバ３００からの記事取得要求を受けた後に、実行されるようにしてもよい。
【００７８】
また、登録形式確認部２１４は、受信部２１１が受信した端末装置１００からの投稿データに含まれる記事情報の内容が、同時投稿する掲示板サイトの登録形式に適合していない場合、上述した修正要求情報ではなく、単に登録できない旨を通知する情報（登録不可情報）をネットワーク４００を介して端末装置１００に送信してもよい。
【００７９】
例えば、端末装置１００から投稿者別汎用電子掲示板サーバ２００に送られてきた投稿データが、図１３に示すような投稿内容を示すものであり、また、登録形式記憶部２２３に記憶されている登録形式情報テーブルに図１４に示すような内容が記述されている場合を例として説明する。図１４の例では、識別情報（ＩＤ）が１の掲示板サイト（本例では、掲示板サイトＡ）の投稿記事には、「内容」項目に“良い”、“美しい”、“きれい”、“役に立つ”及び「悪い」の中のいずれかが含まれている必要があることを示している（contain()は、当該項目に含まれる文字列を示し、「|」は論理和を示す。)。
【００８０】
当該投稿データの記事内容は、上記条件を満たさないため、登録形式確認部２１４は、登録できない旨のメッセージデータを含む登録不可情報を端末装置１００に送信する。そして、かかる登録不可情報を受信した端末装置１００は、例えば、図１５に示すような内容のメッセージをディスプレイ装置に表示する。
【００８１】
《実施例３》
実施例３の電子掲示板システムの全体構成は、実施例１の電子掲示板システムの全体構成（図１）と同一である。したがって、本実施例の電子掲示板システムは、投稿者別汎用電子掲示板サーバ２００と、一つ以上の目的限定電子掲示板サーバ３００と、端末装置１００と、から構成される。また、投稿者別汎用電子掲示板サーバ２００、目的限定電子掲示板サーバ３００及び端末装置１００は、インターネットやＬＡＮ（Local Area Network）等のネットワーク４００に接続している。
【００８２】
投稿者（例えば、“yamada”さん）は、自己の掲示板サイトに投稿する際、先ず、端末装置１００を使用して、図１６に示すように、投稿内容（記事のタイトル、カテゴリ及び記事内容）を入力する。本実施例では、実施例１及び実施例２と異なり、投稿者は、同時投稿を希望する掲示板サイトの種類を入力する必要がない。端末装置１００は、入力された投稿内容と、投稿日時と、投稿者のユーザ名とを含む投稿データをネットワーク４００経由で投稿者別汎用電子掲示板サーバ２００に送信する。
【００８３】
投稿者別汎用電子掲示板サーバ２００は、端末装置１００から送信された投稿データを受信すると、該投稿データから記事情報（投稿日時、記事のタイトル、カテゴリ、記事内容等からなる情報）を抽出し、かかる記事情報の内容を当該投稿者（即ち、“yamada”さん）の掲示板サイト（例えば、サイト名が“yamada日記”）に当該掲示板サイトの登録形式に従って登録する（図１７（ａ）参照）。
【００８４】
また、投稿者別汎用電子掲示板サーバ２００は、記事情報の内容を解析し、その内容が、特定の掲示板サイトの投稿条件（登録条件）を満たしているか否かを判定し、投稿条件を満たしている場合には、その掲示板サイトへの登録に必要な内容を記事情報から抽出する。そして、その抽出した情報を含む掲載データを作成し、実施例１と同様にして、対応する掲示板サイトを管理する目的限定電子掲示板サーバ３００にその掲載データを送信する。
【００８５】
例えば、目的限定電子掲示板サーバ３００Ａの管理する掲示板サイトＡが、投稿記事として、書評のみを扱うとする。この場合、図１６に示すような投稿内容の入力に基づく投稿データには、「書評」項目が含まれるため、投稿者別汎用電子掲示板サーバ２００は、送信先として目的限定電子掲示板サーバ３００Ａを選択する。また、掲示板サイトＡの投稿記事が、「ユーザ」、「タイトル」、「内容」、「日時」の４項目から構成される場合、投稿者別汎用電子掲示板サーバ２００は、投稿データから、かかる項目に対応する情報を抽出し、それを基に掲載データを作成し、目的限定電子掲示板サーバ３００Ａに送信する。
【００８６】
目的限定電子掲示板サーバ３００は、投稿者別汎用電子掲示板サーバ２００から送られてきた掲載データを受信し、管理する掲示板サイトに受信した掲載データの内容を当該掲示板サイトの登録形式に従って登録する。この場合、例えば、目的限定電子掲示板サーバ３００Ａが管理する掲示板サイトＡには、図１７（ｂ）に示すような内容の情報が掲載される。ここで、「投稿者」欄に記載される“yamada”は、実施例１と同様、ハイパーテキストであり、“yamada日記”のＵＲＬと関連付けられている。これにより、閲覧者は、「投稿者」欄の“yamada”を選択するだけで、“yamada日記”のサイトへジャンプし、“yamada日記”を閲覧することができる。
【００８７】
図１８は、本実施例に係る投稿者別汎用電子掲示板サーバ２００の機能的な構成を示すブロック図である。図１８に示すように、本実施例の投稿者別汎用電子掲示板サーバ２００は、実施例１及び実施例２の投稿者別汎用電子掲示板サーバ２００（図４、図１０参照）と同様に、ハードディスクや不揮発性メモリ等から構成される記憶部２２０と、プログラム制御により動作する処理部２１０とを備える。本実施例の投稿者別汎用電子掲示板サーバ２００は、記憶部２２０に登録条件記憶部２２４と、登録項目記憶部２２５とを備え、処理部２１０に同時投稿先判定部２１５と、項目抽出部２１６とを備えている点が、実施例１の投稿者別汎用電子掲示板サーバ２００（図４）と異なる。同一点については、図１８において、同一符号を付し、説明を省略する。
【００８８】
登録条件記憶部２２４は、目的限定電子掲示板サーバ３００が管理する掲示板サイト（掲示板サイトＡ〜Ｃ）の識別情報と、その掲示板サイトに登録するための条件（登録条件）とを関連付けたデータテーブル（登録条件情報テーブル）を記憶する。登録項目記憶部２２５は、目的限定電子掲示板サーバ３００が管理する掲示板サイトの識別情報と、その掲示板サイトに登録するために必要となる項目（登録項目）とを関連付けたデータテーブル（登録項目情報テーブル）を記憶する。
【００８９】
同時投稿先判定部２１５は、受信部２１１が受信した端末装置１００からの投稿データに含まれる記事情報の内容を解析し、その内容が、他の掲示板サイトの投稿条件（登録条件）を満たしているか否かについて、登録条件記憶部２２４に記憶されている登録条件情報テーブルを参照して判定する。登録条件を満たしている場合には、同時投稿先判定部２１５は、その掲示板サイトの識別情報を項目抽出部２１６と、掲載データ送信部２１３に送信する。
【００９０】
項目抽出部２１６は、同時投稿先判定部２１５から受け取った識別情報に従い、登録項目記憶部２２５に記憶されている登録項目情報テーブルを参照して、当該識別情報に対応する登録項目を取得する。そして、項目抽出部２１６は、受信部２１１が受信した投稿データから取得した登録項目に対応する情報（項目情報）を抽出し、掲載データ送信部２１３に送信する。
【００９１】
掲載データ送信部２１３は、項目抽出部２１６から受け取った項目情報を基に、掲載データを作成する。また、掲載データ送信部２１３は、同時投稿先判定部２１５から受け取った識別情報に従い、送信先記憶部２２２に記憶されている送信先情報テーブルを参照して、当該識別情報に対応する送信先情報を取得する。そして、掲載データ送信部２１３は、作成した掲載データを取得した送信先情報が示す送信先（対応する掲示板サイトを管理する目的限定電子掲示板サーバ３００）に送信する。
【００９２】
図１９は、投稿者により新たな記事が投稿された際の端末装置１００、投稿者別汎用電子掲示板サーバ２００及び目的限定電子掲示板サーバ３００のそれぞれの処理手順を示すフローチャートである。まず、投稿者（例えば、“yamada”さん）の操作に従い、端末装置１００は、投稿者別汎用電子掲示板サーバ２００から投稿用画面データを取得し、ディスプレイ装置に表示する。
【００９３】
投稿者は、表示された投稿用画面を介して、投稿内容（記事のタイトル、カテゴリ及び記事内容）を入力する（ステップＳ２０１）。図１６では、投稿者により、タイトル項目に「本Ａ」、カテゴリ項目に「書評」、内容項目に「本Ａの登場人物には感動しました。」と入力された例を示している。
【００９４】
端末装置１００は、入力された投稿内容と、投稿日時と、投稿者のユーザ名とを含む投稿データをネットワーク４００経由で投稿者別汎用電子掲示板サーバ２００に送信する（ステップＳ２０２）。
【００９５】
投稿者別汎用電子掲示板サーバ２００の受信部２１１は、端末装置１００から送信された投稿データを受信する（ステップＳ２０３）。記事登録部２１２は、受信した投稿データから記事情報を抽出し、この記事情報の内容をサイト記憶部２２１に記憶している当該投稿者の掲示板サイト（Ｗｅｂページ）に掲載する（ステップＳ２０４）。例えば、投稿者が、“yamada”の場合は、図１７（ａ）に示すように“yamada日記”に記事情報の内容が掲載される。
【００９６】
次に、同時投稿先判定部２１５は、受信部２１１が受信した端末装置１００からの投稿データに含まれる記事情報の内容が、他の掲示板サイトの登録条件を満たしているか否かについて、登録条件記憶部２２４から読み出した登録条件情報テーブルを参照して判定する（ステップＳ２０５）。登録条件を満たしていると判定した場合、即ち、同時投稿可能な他の掲示板サイトを登録条件情報テーブルの中から検出した場合、同時投稿先判定部２１５は、その掲示板サイトの識別情報を項目抽出部２１６と、掲載データ送信部２１３に送信する。
【００９７】
図２０に登録条件情報テーブルの内容の一例を示す。登録条件情報テーブルには、他の掲示板サイトの識別情報と、その掲示板サイトへの登録条件との対応関係がＸＭＬ形式で記述されている。登録条件は、投稿記事の項目毎に指定するようになっている。
【００９８】
図２０の例では、識別情報（ＩＤ）が１の掲示板サイト（本実施例では、掲示板サイトＡ）への登録条件が示されている。ここで、ＩＤは、＜ＩＤ＞、＜／ＩＤ＞間に記述される。一つの項目に関する登録条件は、＜ｉｔｅｍ＞、＜／ｉｔｅｍ＞間に記述される。そして、この＜ｉｔｅｍ＞、＜／ｉｔｅｍ＞間において、項目の名称が、＜ｎａｍｅ＞、＜／ｎａｍｅ＞間に記述され、さらに、その登録条件が、＜ｃｏｎｄｉｔｉｏｎ＞、＜／ｃｏｎｄｉｔｉｏｎ＞間に記述される。
【００９９】
図２０の例では、「カテゴリ」項目に「書評」又は「本の感想」という文字列が含まれていれば、当該識別情報に対応する掲示板サイト（即ち、掲示板サイトＡ）への登録条件を満たすことが示されている（contain()は、当該項目に含まれる文字列を示し、「|」は論理和を示す。)。
【０１００】
例えば、端末装置１００から投稿者別汎用電子掲示板サーバ２００に送られてきた投稿データが、図１６に示すような投稿内容を示すものである場合は、当該投稿データの記事内容には、「カテゴリ」項目があり、また、その「カテゴリ」項目には、「書評」という文字列が含まれている。この場合、同時投稿先判定部２１５は、ＩＤが１の掲示板サイト（即ち、掲示板サイトＡ）の登録条件を満たしていると判定し、その結果（ＩＤ＝１）を項目抽出部２１６と、掲載データ送信部２１３に送信する。
【０１０１】
項目抽出部２１６は、同時投稿先判定部２１５から受け取った識別情報に従い、登録項目記憶部２２５に記憶されている登録項目情報テーブルを参照して、当該識別情報に対応する登録項目を取得する。そして、項目抽出部２１６は、受信部２１１が受信した投稿データから取得した登録項目に対応する項目情報を抽出し（ステップＳ２０６）、掲載データ送信部２１３に送信する。
【０１０２】
図２１に登録項目情報テーブルの内容の一例を示す。図２１の例では、ＩＤが１の掲示板サイト（即ち、掲示板サイトＡ）に登録するためには、「ユーザ」、「タイトル」、「内容」及び「日時」の４項目が必要であり、ＩＤが２の掲示板サイト（即ち、掲示板サイトＢ）に登録するためには、「ユーザ」、「タイトル」及び「内容」の３項目が必要であることが示されている。
【０１０３】
例えば、端末装置１００から投稿者別汎用電子掲示板サーバ２００に送られてきた投稿データが、図１６に示すような投稿内容を示すものであり、同時投稿先判定部２１５から項目抽出部２１６に「ＩＤ＝１」という判定結果が送られてきたとする。この場合、項目抽出部２１６は、受信部２１１が受信した投稿データから「ユーザ」、「タイトル」、「内容」及び「日時」の４項目についての情報（項目情報）を抽出し、掲載データ送信部２１３に送信する。
【０１０４】
掲載データ送信部２１３は、項目抽出部２１６から受け取った項目情報を基に、掲載データを作成する。該掲載データには、実施例１及び実施例２と同様に、投稿者の掲示板サイトにアクセスするためのアクセス情報が含まれる。また、掲載データ送信部２１３は、同時投稿先判定部２１５から受け取った識別情報に従い、送信先記憶部２２２に記憶されている送信先情報テーブルを参照して、当該識別情報に対応する送信先情報を取得する。そして、掲載データ送信部２１３は、作成した掲載データを取得した送信先情報が示す送信先（対応する掲示板サイトを管理する目的限定電子掲示板サーバ３００）に送信する（ステップＳ２０７）。
【０１０５】
目的限定電子掲示板サーバ３００は、投稿者別汎用電子掲示板サーバ２００から送られてきた掲載データを受信し（ステップＳ２０８）、管理する掲示板サイト（例えば、掲示板サイトＡ）に受信した掲載データの内容を登録する（ステップＳ２０９）。
【０１０６】
以上説明したように、本実施例の電子掲示板システムによれば、投稿者別汎用電子掲示板サーバ２００が管理する掲示板サイトの投稿者は、記事の投稿の際、同時投稿先の指定をする必要がない。このため、本実施例の電子掲示板システムは、実施例１と同等の効果が得られると共に、利便性にも優れる。
【０１０７】
なお、本実施例の変形例においては、項目抽出部２１６、登録項目記憶部２２５を含まない構成にすることも可能である。かかる構成の場合、掲載データ送信部２１３は、受信した投稿データから取り出した記事情報を基にして掲載データを作成する。
【０１０８】
また、本実施例では、図１９のフローチャートにおいて、記事登録部２１２による処理（登録処理）を実行してから、掲載データ送信部２１３による処理（掲載データ送信処理）を実行しているが、この順番とは逆に、掲載データ送信処理を実行してから、登録処理を実行してもよい。
【０１０９】
また、掲載データ送信処理は、項目抽出部２１６から項目情報を受け取った後、直ちに実行される以外にも、例えば、目的限定電子掲示板サーバ３００からの記事取得要求を受けた後に、実行されるようにしてもよい。
【０１１０】
なお、本発明は、上記各実施例に限定されるものではなく、本発明の要旨を逸脱しない範囲での種々の変更は勿論可能である。
【図面の簡単な説明】
【０１１１】
【図１】本発明の実施例１に係る電子掲示板システムの全体構成を示す図である。
【図２】実施例１において、投稿者により入力された投稿内容を示す図である。
【図３】実施例１において、（ａ）投稿者別汎用電子掲示板サーバが管理する掲示板サイトに登録された記事を示す図、（ｂ）目的限定電子掲示板サーバが管理する掲示板サイトに登録された記事を示す図である。
【図４】実施例１に係る投稿者別汎用電子掲示板サーバの機能的な構成を示すブロック図である。
【図５】実施例１において、新たな記事が投稿された際の端末装置、投稿者別汎用電子掲示板サーバ及び目的限定電子掲示板サーバのそれぞれの処理手順を示すフローチャートである。
【図６】実施例１において、送信先情報テーブルの一例を示す図である。
【図７】本発明の実施例２において、投稿者により入力された投稿内容を示す図である。
【図８】実施例２において、（ａ）投稿者別汎用電子掲示板サーバが管理する掲示板サイトに登録された記事を示す図、（ｂ）目的限定電子掲示板サーバが管理する掲示板サイトに登録された記事を示す図である。
【図９】実施例２において、修正要求情報の内容を示す図である。
【図１０】実施例２に係る投稿者別汎用電子掲示板サーバの機能的な構成を示すブロック図である。
【図１１】実施例２において、新たな記事が投稿された際の端末装置、投稿者別汎用電子掲示板サーバ及び目的限定電子掲示板サーバのそれぞれの処理手順を示すフローチャートである。
【図１２】実施例２において、登録形式情報テーブルの一例を示す図である。
【図１３】実施例２の変形例において、投稿者により入力された投稿内容を示す図である。
【図１４】実施例２の変形例において、登録形式情報テーブルの一例を示す図である。
【図１５】実施例２の変形例において、登録不可情報の内容を示す図である。
【図１６】実施例３において、投稿者により入力された投稿内容を示す図である。
【図１７】実施例３において、（ａ）投稿者別汎用電子掲示板サーバが管理する掲示板サイトに登録された記事を示す図、（ｂ）目的限定電子掲示板サーバが管理する掲示板サイトに登録された記事を示す図である。
【図１８】実施例３に係る投稿者別汎用電子掲示板サーバの機能的な構成を示すブロック図である。
【図１９】実施例３において、新たな記事が投稿された際の端末装置、投稿者別汎用電子掲示板サーバ及び目的限定電子掲示板サーバのそれぞれの処理手順を示すフローチャートである。
【図２０】実施例３において、登録条件情報テーブルの一例を示す図である。
【図２１】実施例３において、登録項目情報テーブルの一例を示す図である。
【符号の説明】
【０１１２】
１００  端末装置
２００  投稿者別汎用電子掲示板サーバ
２１０  処理部
２１１  受信部
２１２  記事登録部
２１３  掲載データ送信部
２１４  登録形式確認部
２１５  同時投稿先判定部
２１６  項目抽出部
２２０  記憶部
２２１  サイト記憶部
２２２  送信先記憶部
２２３  登録形式記憶部
２２４  登録条件記憶部
２２５  登録項目記憶部
３００  目的限定電子掲示板サーバ
４００  ネットワーク
【図１】
2010224583.tif 000003
【図２】
2010224583.tif 000004
【図３】
2010224583.tif 000005
【図４】
2010224583.tif 000006
【図５】
2010224583.tif 000007
【図６】
2010224583.tif 000008
【図７】
2010224583.tif 000009
【図８】
2010224583.tif 000010
【図９】
2010224583.tif 000011
【図１０】
2010224583.tif 000012
【図１１】
2010224583.tif 000013
【図１２】
2010224583.tif 000014
【図１３】
2010224583.tif 000015
【図１４】
2010224583.tif 000016
【図１５】
2010224583.tif 000017
【図１６】
2010224583.tif 000018
【図１７】
2010224583.tif 000019
【図１８】
2010224583.tif 000020
【図１９】
2010224583.tif 000021
【図２０】
2010224583.tif 000022
【図２１】
2010224583.tif 000023